(57)【要約】【課題】新設上枠の取付強度が強く、所定の取付強度が確保できる改修サッシとする。【解決手段】既設上枠２０に下地材５を、見付け方向に向かう第１固着具５０、見込み方向に向かう第２固着具５１でそれぞれ固着し、この下地材５に新設上枠３０を第３固着具３４で固定して新設上枠３０を既設上枠２０に取り付けた改修サッシで、前記下地材５の固定強度が強く、新設上枠３０の取付強度を所定の取付強度に確保できるから、強風などで改修サッシに負圧が作用して室外側に引張られても新設上枠３０が外れたり、ぐらつくことがない。【選択図】図３
2011179248.tif 000002
【特許請求の範囲】
【請求項１】
建物の開口部に残存した既設サッシ枠内に新設サッシ枠を取り付けた改修サッシであって、
前記既設サッシ枠の既設上枠に下地材を、見付け方向に向かう第１固着具で既設上枠の下向きの見込み面に固着すると共に、見込み方向に向かう第２固着具で既設上枠の室外側又は室内側に向かう見付け面に固着して取り付け、
前記新設サッシ枠の新設上枠の上向きの見込み面を、前記下地材に固着した見付け方向に向かう第３固着具で、前記下地材の下向きの見込み面に固着し、新設上枠を下地材を介して前記既設上枠に取り付けたことを特徴とする改修サッシ。
【請求項２】
前記既設上枠の室内側部と前記下地材の室内側の取付部を見込み方向に向かう第２固着具で固着し、
前記新設上枠の室内側部にアタッチメントを取り付け、このアタッチメントが前記既設上枠の室内側部と対向して前記第２固着具を隠蔽するようにした請求項１記載の改修サッシ。
【請求項３】
建物の開口部に残存した既設サッシ枠内に新設サッシ枠を取り付けた改修サッシであって、
前記既設サッシ枠の既設上枠に下地材を、見付け方向に向かう第１固着具で既設上枠の下向きの見込み面に固着し、
前記新設サッシ枠の新設上枠の上向きの見込み面を、前記下地材に固着した見付け方向に向かう第３固着具で、その下地材の下向きの見込み面に固着し、新設上枠を下地材を介して既設上枠に取り付け、
前記新設上枠の室内側部にアタッチメントを取り付け、このアタッチメントを前記既設上枠の室内側部と対向し、
前記アタッチメントから見込み方向に向かう第２固着具を、既設上枠の室内側部、下地材の室内側の取付部に固着して、その取付部を既設上枠の室外側又は室内側に向かう見付け面に固着したことを特徴とする改修サッシ。
【請求項４】
前記アタッチメントは、見付け方向に向かう覆い片と見込み方向に向かう取付片を有し、その取付片を新設上枠の室内側部に第４固着具で固着して取り付け、前記覆い片が既設上枠の室内側部と対向すると共に、この覆い片から第２固着具を、既設上枠の室内側部、下地材の取付部に固着するようにした請求項３記載の改修サッシ。
【請求項５】
建物の開口部に残存した既設サッシ枠内に新設サッシ枠を取り付けた改修サッシであって、
前記既設サッシ枠の既設上枠に下地材を、見付け方向に向かう第１固着具で既設上枠の下向きの見込み面に固着し、
前記新設サッシ枠の新設上枠の上向きの見込み面を、前記下地材に固着した見付け方向に向かう第３固着具で、前記下地材の下向きの見込み面に固着し、新設上枠を下地材を介して既設上枠に取り付け、
前記新設上枠の室内側部に覆い片と取付片を有したアタッチメントの取付片を見付け方向に向かう第４固着具で固着し、その覆い片を既設上枠の室内側部と対向し、前記覆い片と前記室内側部を、見込み方向に向かう第２固着具で固着したことを特徴とする改修サッシ。
【請求項６】
前記第３固着具は、新設上枠の見込み方向中間から下地材に固着し、その新設上枠の見込み方向中間が下地材に固着してある請求項５記載の改修サッシ。
【発明の詳細な説明】
【技術分野】
【０００１】
本発明は、建物の開口部に残存した既設サッシ枠内に、新設サッシ枠を取り付けした改修サッシに関する。
【背景技術】
【０００２】
従来の改修サッシとしては、建物の開口部に既設サッシ枠を残存させ、この既設サッシ枠内に新設サッシ枠を取り付けるようにした改修サッシが知られている。
前述した改修サッシとしては、既設サッシ枠に下地材を固着具で固着し、この下地材に新設サッシ枠を固着具で固着することで新設サッシ枠を既設サッシ枠内に取り付けた改修サッシが知られている。
例えば、特許文献１に開示されたように、見付け方向（上下方向）に向かう固着具で下地材を既設上枠の見込み方向に向かう面（見込み面）に固着し、その下地材に新設上枠を固着具で固着して新設上枠を既設上枠に取り付けた第１の改修サッシが知られている。
特許文献２に開示したように、見込み方向（室内外側方向）に向かう固着具で下地材を既設上枠の見付け方向に向かう面（見付け面）に固着し、その下地材に新設上枠に固着具で固着して新設上枠を既設上枠に取り付けた第２の改修サッシが知られている。
【先行技術文献】
【特許文献】
【０００３】
【特許文献１】実公昭６３−４６６０８号公報
【特許文献２】特開２００７−１２０２４５号公報
【発明の概要】
【発明が解決しようとする課題】
【０００４】
前述した第１の改修サッシのように下地材を既設上枠の見込み面に固着したり、前述の第２の改修サッシのように下地材を既設上枠の見付け面に固着したのでは、その下地材の固着強度が弱く、新設上枠の取付強度が不足し、所定の取付強度が得られないことがある。
このために、強風などによって改修サッシに大きな負圧が作用し、新設上枠が強い力で室外側に引張られると、新設上枠とともに下地材が既設上枠に対して室外側に向けて回動変位し、新設上枠が外れたり、ぐらつく恐れがある。
【０００５】
本発明の目的は、改修サッシの新設上枠の取付強度が強く、所定の取付強度を確保できるようにした改修サッシとすることである。
【課題を解決するための手段】
【０００６】
第１の発明は、建物の開口部に残存した既設サッシ枠内に新設サッシ枠を取り付けた改修サッシであって、
前記既設サッシ枠の既設上枠に下地材を、見付け方向に向かう第１固着具で既設上枠の下向きの見込み面に固着すると共に、見込み方向に向かう第２固着具で既設上枠の室外側又は室内側に向かう見付け面に固着して取り付け、
前記新設サッシ枠の新設上枠の上向きの見込み面を、前記下地材に固着した見付け方向に向かう第３固着具で、前記下地材の下向きの見込み面に固着し、新設上枠を下地材を介して前記既設上枠に取り付けたことを特徴とする改修サッシである。
【０００７】
第１の発明においては、前記既設上枠の室内側部と前記下地材の室内側の取付部を見込み方向に向かう第２固着具で固着し、
前記新設上枠の室内側部にアタッチメントを取り付け、このアタッチメントが前記既設上枠の室内側部と対向して前記第２固着具を隠蔽するようにできる。
このようにすれば、室内から見たときに、既設上枠と新設上枠との間から下地材が見えることがないと共に、第２固着具が見えないので、内観の見栄えが良い。
【０００８】
第２の発明は、建物の開口部に残存した既設サッシ枠内に新設サッシ枠を取り付けた改修サッシであって、
前記既設サッシ枠の既設上枠に下地材を、見付け方向に向かう第１固着具で既設上枠の下向きの見込み面に固着し、
前記新設サッシ枠の新設上枠の上向きの見込み面を、前記下地材に固着した見付け方向に向かう第３固着具で、その下地材の下向きの見込み面に固着し、新設上枠を下地材を介して既設上枠に取り付け、
前記新設上枠の室内側部にアタッチメントを取り付け、このアタッチメントを前記既設上枠の室内側部と対向し、
前記アタッチメントから見込み方向に向かう第２固着具を、既設上枠の室内側部、下地材の室内側の取付部に固着して、その取付部を既設上枠の室外側又は室内側に向かう見付け面に固着したことを特徴とする改修サッシである。
【０００９】
第２の発明においては、前記アタッチメントは、見付け方向に向かう覆い片と見込み方向に向かう取付片を有し、その取付片を新設上枠の室内側部に第４固着具で固着して取り付け、前記覆い片が既設上枠の室内側部と対向すると共に、この覆い片から第２固着具を、既設上枠の室内側部、下地材の取付部に固着するようにできる。
このようにすれば、アタッチメントを新設上枠にしっかりと取り付けでき、第２固着具を固着する際にアタッチメントが動くことがない。
【００１０】
第３の発明は、建物の開口部に残存した既設サッシ枠内に新設サッシ枠を取り付けた改修サッシであって、
前記既設サッシ枠の既設上枠に下地材を、見付け方向に向かう第１固着具で既設上枠の下向きの見込み面に固着し、
前記新設サッシ枠の新設上枠の上向きの見込み面を、前記下地材に固着した見付け方向に向かう第３固着具で、前記下地材の下向きの見込み面に固着し、新設上枠を下地材を介して既設上枠に取り付け、
前記新設上枠の室内側部に覆い片と取付片を有したアタッチメントの取付片を見付け方向に向かう第４固着具で固着し、その覆い片を既設上枠の室内側部と対向し、前記覆い片と前記室内側部を、見込み方向に向かう第２固着具で固着したことを特徴とする改修サッシである。
【００１１】
第３の発明においては、前記第３固着具は、新設上枠の見込み方向中間から下地材に固着し、その新設上枠の見込み方向中間が下地材に固着することができる。
このようにすれば、新設上枠の見込み方向中間が下地材を介して既設上枠に固定され、その新設上枠の見込み方向の室内側部がアタッチメントを介して既設上枠に固着されるので、新設上枠の取付強度をより強くすることができる。
【発明の効果】
【００１２】
第１の発明によれば、下地材が、見付け方向に向かう第１固着具、見込み方向に向かう第２固着具で既設上枠の下向きの見込み面、室外側又は室内側に向かう見付け面にそれぞれ固着されるので、その下地材の固定強度が強く、その下地材に新設上枠を第３固着具で固着して新設上枠を既設上枠に取り付けたから、新設上枠の取付強度が強く、所定の取付強度を確保できる。
したがって、改修サッシに強風などで負圧が作用して室外側に引張られたときに新設上枠が既設上枠から外れたり、ぐらつくことがない。
【００１３】
第２の発明によれば、既設上枠の下向きの見込み面に見付け方向に向かう第１固着具で下地材が固着され、その下地材の下向きの見込み面に新設上枠が固定され、その新設上枠の室内側に取り付けたアタッチメントから既設上枠の室内側部、下地材の取付部に見込み方向に向かう第２固着具を固着して、その取付部が既設上枠の室外側又は室内側に向かう見付け面に固着しているから、下地材の固定強度が強く、新設上枠の取付強度が強く、所定の取付強度を確保できる。
したがって、改修サッシに強風などで負圧が作用して室外側に引張られたときに新設上枠が既設上枠から外れたり、ぐらつくことがない。
しかも、新設上枠にアタッチメントを取り付けた後に、第２固着具を室内から操作して固着でき、その作業が容易である。
【００１４】
第３の発明によれば、下地材が見付け方向に向かう第１固着具で既設上枠に固着され、この下地材に新設上枠が見付け方向に向かう第３固着具で固着され、その新設上枠に見付け方向に向かう第４固着具で固着したアタッチメントと既設上枠の室内側部が見込み方向に向かう第２固着具で固着してあるので、その新設上枠の取付強度が強く、所定の取付強度を確保できる。
したがって、改修サッシに強風などで負圧が作用し、室外側に引張られたときに新設上枠が既設上枠から外れたり、ぐらつくことがない。
【図面の簡単な説明】
【００１５】
【図１】本発明の実施の形態を示す改修サッシの全体縦断面図である。
【図２】本発明の実施の形態を示す改修サッシの全体横断面図である。
【図３】新設上枠取付部の拡大縦断面図である。
【図４】新設縦枠取付部の拡大横断面図である。
【図５】第２の実施の形態を示す新設上枠取付部の縦断面図である。
【図６】第２の実施の形態を示す新設縦枠取付部の横断面図である。
【図７】第３の実施の形態を示す新設上枠取付部の縦断面図である。
【図８】第３の実施の形態を示す新設縦枠取付部の横断面図である。
【発明を実施するための形態】
【００１６】
図１と図２に示すように、建物の開口部１には既設サッシの既設サッシ枠２が残存している。
この既設サッシ枠２内に新設サッシ枠３を取り付け、その新設サッシ枠３内に障子４を装着して改修サッシとしてある。
前記既設サッシ枠２は、既設上枠２０と既設下枠２１と左右の既設縦枠２２で方形枠状である。
前記新設サッシ枠３は、新設上枠３０と新設下枠３１と左右の新設縦枠３２で方形枠状である。
前記新設上枠３０を既設上枠２０に取り付け、新設下枠３１を既設下枠２１に取り付けると共に、新設縦枠３２を既設縦枠２２に取り付けることで、新設サッシ枠３を既設サッシ枠２内に取り付ける。
【００１７】
前記既設上枠２０には図１に示すように、下地材５が取り付けてあり、この上下地材５に新設上枠３０が取り付けてある。
前記新設上枠３０の室内側部にはアタッチメント６が取り付けてある。
このアタッチメント６は既設上枠２０の室内側部と対向し、既設上枠２０と新設上枠３０との間の隙間を閉塞している。
前述の見付け方向とは、図１において上下方向で、面内方向とも呼ばれる。
【００１８】
前記既設縦枠２２には図２に示すように、下地材７が取り付けてあり、この下地材７に新設縦枠３２が取り付けてある。
前記新設縦枠３２の室内側部にはアタッチメント６が取り付けてある。
このアタッチメント６は既設縦枠２２の室内側部と対向し、既設縦枠２２と新設縦枠３２との間の隙間を閉塞している。
前述の見付け方向とは、図２において左右方向で、面内方向とも呼ばれる。
【００１９】
次に、新設上枠３０の取り付けを説明する。
図３に示すように、前記既設上枠２０は、本体２３の見込み方向室内側に設けた室内側縦向部２４と、その本体２３の見込み方向室外側に設けた室外側縦向部２５と、前記本体２３の見込み方向中間に設けた中間縦向部２６を備え、前記各縦向部は見付け方向の下方に向かう。
前記見込み方向とは図３において室内外側方向に向かう方向で、面外方向とも呼ばれる。
【００２０】
前記下地材５は、見付け方向に向かう第１固着具５０で、既設上枠２０の下向きの見込み面２０ａに固着すると共に、見込み方向に向かう第２固着具５１で、既設上枠２０の室内側又は室外側に向かう見付け面２０ｂに固着している。
前記既設上枠２０の見込み面とは、見込み方向（室内外側方向）に向かう面で、下向きの面とは見付け方向の内側に向かう面である。
前記既設上枠２０の見付け面とは、見付け方向（上下方向）に向かう面である。
【００２１】
例えば、下地材５から第１固着具５０を本体２３に固着し、その下地材５を中間縦部２６の下端面、つまり既設上枠２０の下向きの見込み面２０ａに押しつけて固定すると共に、室内側縦向部２４から第２固着具５１を下地材５に固着し、その下地材５を室内側縦向部２４の室外側面、つまり既設上枠２０の室外側に向かう見付け面２０ｂに固着することで、下地材５を既設上枠２０に取り付けてある。
【００２２】
このように、下地材５を既設上枠２０の見込み面、見付け面で支持するので、その下地材５の固定強度を所定の強度とすることができる。
【００２３】
図３に示す下地材５は、見込み方向に向かう本体部５２の室内側端に上向きの取付部５３を有すると共に、その本体部５２の室外側寄りに上向きの支持部５４を有する。その取付部５３を室内側縦向部２４の室外側面に接し、支持部５４を中間縦向部２６の室内側面に接して見込み方向に動かないように支持すると共に、本体部５２の上面を中間縦向部２６の下端面に接する。
そして、本体部５２から第１固着具５０を既設上枠２０の本体２３に固着すると共に、第２固着具５１を室内側縦向部２４から取付部５３に固着して下地材５を既設上枠２０に取り付ける。
【００２４】
前記新設上枠３０は、その上向きの見込み面３０ａ、つまり見込み方向に向かう上面を下地材５の下向きの見込み面５ａ、つまり見込み方向に向かう下面（本体部５２の下面）にスペーサ３３を介して接し、見付け方向（上下方向）に向かう第３固着具３４を下地材５に固着して取り付けてある。前述のスペーサ３３は用いなくとも良い。
【００２５】
このようであるから、強風などで改修サッシに大きな負圧が作用したりして、新設上枠３０が室外側に向かう力で強く引張られたときに、下地材５が新設上枠３０とともに既設上枠２０に対して室外側に向けて回動変位することがなく、新設上枠３０が外れたり、ぐらつくことがない。
したがって、新設上枠３０の取付強度が強く、所定の取付強度が確保できる。
【００２６】
図３に示す新設上枠３０は、見込み方向の室外側部は、その上向きの見込み面３０ａよりも上方に突出して位置決め突部３０ｂを有し、この位置決め突部３０ｂが既設上枠２０の室外側縦向部２５の室外側面、つまり既設上枠２０の室外側面２０ｃに接し、新設上枠３０を見込み方向に位置している。
前記位置決め突部３０ｂには上横気密材３５が取り付けてあり、この上横気密材３５が前述の既設上枠２０の室外側面２０ｃに接して気密している。
【００２７】
前記アタッチメント６は、覆い片６０と取付片６１を有し、その取付片６１を新設上枠３０の室内側部３０ｃに見付け方向に向かう第４固着具６２で固定してある。前記覆い片６０は見付け方向（上下方向）に向かい、取付片６１は見込み方向の室外側に向かう。
前記覆い片６０の上部が既設上枠２０の室内側縦向部２４（室内側部）の室内側面、つまり既設上枠２０の室内側面２０ｄと相対向して前記第２固着具５１を隠蔽していると共に、その覆い片６０の上部に取り付けた気密材６３が前記既設上枠２０の室内側面２０ｄに接して気密している。
これによって、既設上枠２０と新設上枠３０との間の隙間、下地材５、スペーサ３３が室内から見えることがないと共に、第２固着具５１が室内から見えることがなく、内観の見栄えが良い。
【００２８】
前記取付片６１に第４固着具６２を隠蔽するカバー６４が取り付けてある。
例えば、取付片６１の室内外側端に係合受片６５を下向きにそれぞれ設け、カバー６４には一対の係合片６６を設け、この一対の係合片６６を係合受片６５に係合することで取付片６１にカバー６４が取り付けてある。
前記覆い片６０には、新設上枠３０の室内側部３０ｃに設けた被取付部３０ｄに係合する係合凹部６７が形成され、この係合凹部６７を被取付部３０ｄに係合することでアタッチメント６を新設上枠３０の室内側部３０ｃに仮取り付けできるようにしてある。
【００２９】
次に、新設縦枠３２の取り付けを説明する。
図４に示すように、前記既設縦枠２２は、本体２７の見込み方向室内側に設けた室内側横向部２８と、その本体２７の見込み方向室外側に設けた室外側横向部２９と、前記本体２７の見込み方向中間に設けた中間横向部２９ａを備え、前記各横向部は見付け方向の内側に向かう。
前記見込み方向とは図４において室内外側方向に向かう方向で、面外方向とも呼ばれる。
【００３０】
前記下地材７は、見付け方向に向かう第１固着具７０で、既設縦枠２２の内側に向かう見込み面２２ａに固着すると共に、見込み方向に向かう第２固着具７１で、既設縦枠２２の室外側又は室内側に向かう見付け面２２ｂに固着している。
例えば、下地材７から第１固着具７０を本体２７に固着し、その下地材７を本体２７の内側面、中間内向部２９ａの内側面、つまり前述した既設縦枠２２の内側に向かう見込み面２２ａに押しつけて固着すると共に、室内側横向部２８から第２固着具７１を下地材７に固着し、その下地材７を室内側横向部２８の室外側面、つまり既設縦枠２２の室外側に向かう見付け面２２ｂに押して固定することで、下地材７を既設縦枠２２に取り付けてある。
前述の見込み面とは、見込み方向（室内外側方向）に向かう面で、見付け面とは、見付け方向（左右方向）に向かう面である。
【００３１】
このようであるから、下地材７の固定強度を所定の強度とすることができる。
【００３２】
図４に示す下地材７は、見込み方向に向かう本体部７２の室内側端に外向きの取付部７３を有すると共に、その本体部７２の室外側寄りに外向きの支持部７４を有する。その取付部７３を室内側横向部２８の室外側面に接し、支持部７４を室外側横向部２９の室内側面に接して見込み方向に動かないように支持すると共に、本体部７２の外側面を本体２７の内側面に接する。
そして、本体部７２から第１固着具７０を既設縦枠２２の本体２７に固着すると共に、第２固着具７１を室内側横向部２８から取付部７３に固着して下地材７を既設縦枠２２に取り付ける。
【００３３】
前記新設縦枠３２は、その外側に向かう見込み面３２ａを下地材７の内側に向かう見込み面７ａ、（本体部７２の内側面）にスペーサ３６を介して接し、見付け方向（左右方向）に向かう第３固着具３７を下地材７に固着して取り付けてある。前述のスペーサ３６は用いなくとも良い。
【００３４】
このようであるから、強風などで改修サッシに大きな負圧が作用したりして、新設縦枠３２が室外側に向かう力で強く引張られたときに、下地材７が新設縦枠３２とともに既設縦枠２２に対して室外側に向けて回動変位することがなく、新設縦枠３２が外れたり、ぐらつくことがない。
したがって、新設縦枠３２の取付強度が強く、所定の取付強度が確保できる。
【００３５】
図４に示すように、新設縦枠３２の室外側部３２ｂには気密材３８が取り付けてある。この気密材３８が既設縦枠２２の室外側横向部２９の室外側面、つまり既設縦枠２２の室外側面２２ｃに接して気密している。
【００３６】
前記新設縦枠３２の室内側部に取り付けたアタッチメント６は、前述の新設上枠３０に取り付けたアタッチメント６と同一断面形状で、新設縦枠３２の室内側部３２ｃに同様に取り付けられ、係合凹部６７が新設縦枠３２の被取付部３２ｄに係合している。
そして、気密材６３が既設縦枠２２の室内側横向部２８の室内側面、つまり既設縦枠２２の室内側面２２ｄに接している。
これによって、下地材７、スペーサ３６が室内から見えない。
【００３７】
次に、第２の実施の形態を説明する。
図５に示すように、既設上枠２０、新設上枠３０、下地材５、アタッチメント６は前述した第１の実施の形態と同様で、下地材５を第２固着具５１で固着する構成が前述した第１の実施の形態と相違する。
前記第２固着具５１を、アタッチメント６の覆い片６０から既設上枠２０の室内側縦向部２４（室内側部）及び上下地材５の室内側の取付部５３に順次固着し、その取付部５３を室内側縦向部２４の室外側面、つまり室外側に向かう見付け面２０ｂに固着してある。
【００３８】
このようであるから、新設上枠３０の室内側部にアタッチメント６を取り付けた後に、第２固着具５１を室内から操作することができ、その作業が容易である。
【００３９】
図６に示すように、既設縦枠２２、新設縦枠３２、下地材７、アタッチメント６は前述した第１の実施の形態と同様で、下地材７を第２固着具７１で固着する構成が前述した第１の実施の形態と相違する。
つまり、第２固着具７１をアタッチメント６の覆い片６０から既設縦枠２２の室内側横向部２８（室内側部）及び下地材７の室内側の取付部７３に順次固着し、その取付部７３を室内側横向部２８の室外側面、つまり室外側に向かう見付け面２２ｂに固着してある。
【００４０】
次に、第３の実施の形態を説明する。
図７に示すように、既設上枠２０、新設上枠３０、アタッチメント６は前述の第１・第２の実施の形態と同様で、下地材５が第１・第２の実施の形態と相違する。
つまり、下地材５は本体部５２の室外側部に支持部５４を有した形状で、室内側の取付部５３を有しない点が相違する。
前記下地材５は、見付け方向に向かう第１固着具５０で既設上枠２０の下向きの見込み面２０ａ（中間縦向部２６の下端面）に固着してある。
前記新設上枠３０の上向きの見込み面３０ａは、下地材５の下向きの見込み面５ａにスペーサ３３を介して接し、見付け方向に向かう第３固着具３４で新設上枠３０が下地材５の下向きの見込み面５ａに固着してある。
【００４１】
前記新設上枠３０の室内側部３０ｃに取り付けたアタッチメント６の覆い片６０は既設上枠２０の室内側縦向部２４と対向し、この覆い片６０から見込み方向に向かう第２固着具５１を既設上枠２０の室内側縦向部２４、つまり見付け方向に向かう室内側部に固着してある。
【００４２】
このように、新設上枠３０の室内側部３０ｃが、アタッチメント６を介して見込み方向に向かう第２固着具５１で既設上枠２０の見付け方向に向かう室内側部に固着してあると共に、前述のように見付け方向に向かう第３固着具３４で下地材５に固着してあるので、新設上枠３０の取付強度が強く、所定の強度が確保できる。
この場合には、新設上枠３０の見込み方向の中間から第３固着具３４を下地材５に固着する。
【００４３】
図８に示すように、既設縦枠２２、新設縦枠３２、アタッチメント６は前述の第１・第２の実施の形態と同様で、下地材７が第１．第２実施の形態と相違する。
つまり、下地材７は下地材５と同様に本体部７２と支持部７４を有した形状で、取付部を有しない。
【００４４】
前記下地材７は見付け方向に向かう第１固着具７０で既設縦枠２２の内側に向かう見込み面２２ａに固着してある。
前記新設縦枠３２の外側に向かう見込み面３２ａは下地材７の内側の向かう見込み面７ａにスペーサ３６を介して接し、新設縦枠３２の見込み方向中間から見付け方向に向かう第３固着具３７を縦下地材７に固着して固定してある。
【００４５】
前記新設縦枠３２の室内側部３２ｃにアタッチメント６が見付け方向に向かう第４固着具６２で固着し、その覆い片６０から見込み方向に向かう第２固着具７１を既設縦枠２２の室内側横向部２８に固着して覆い片６０を室内側横向部２８に固着している。
これによって、新設縦枠３２の室内側部３２ｃがアタッチメント６を介して既設縦枠２２の室内側横向部２８（室内側部）に固定される。
【００４６】
前記第１固着具、第２固着具、第３固着具、第４固着具は、ねじ、リベット、ボルト・ナット等が代表的な固着具として挙げられるが、それ以外の固着具であっても構わない。
【符号の説明】
【００４７】
１…建物の開口部、２…既設サッシ枠、３…新設サッシ枠、５…下地材、５ａ…下向きの見込み面、６…アタッチメント、７…下地材、２０…既設上枠、２０ａ…下向きの見込み面、２０ｂ…室外側又は室内側に向かう見付け面、３０…新設上枠、３０ａ…上向きの見込み面、３０ｃ…室内側部、３４…第３固着具、５０…第１固着具、５１…第２固着具、６０…覆い片、６１…取付片、６２…第４固着具。
【図１】
2011179248.tif 000003
【図２】
2011179248.tif 000004
【図３】
2011179248.tif 000005
【図４】
2011179248.tif 000006
【図５】
2011179248.tif 000007
【図６】
2011179248.tif 000008
【図７】
2011179248.tif 000009
【図８】
2011179248.tif 000010